(57)【要約】【課題】照明ランプ内部における限られた空間を有効活用しながら、筐体と点灯回路とが相互に回転してしまうことを規制する照明ランプ及び照明装置を提供するものである。【解決手段】光源３と、光源３を駆動する回路基板１１と、回路基板１１が内部に設置された筒状の第１の筐体部６を有し、光源３が設けられている筐体５と、を備え、回路基板１１には、筐体５の径方向に延出する突出部１２が形成され、第１の筐体部６には、突出部１２が挿入されるスリット６１が形成されているものである。【選択図】図２
2015041464.tif 000002
【特許請求の範囲】
【請求項１】
光源と、
前記光源を駆動する回路基板と、
前記回路基板が内部に設置された筒状の第１の筐体部を有し、前記光源が設けられている筐体と、
を備え、
前記回路基板には、前記筐体の径方向に延出する突出部が形成され、
前記第１の筐体部には、前記突出部が挿入されるスリットが形成されている
ことを特徴とする照明ランプ。
【請求項２】
前記第１の筐体部には、前記光源側の端部側が開放されるように、前記突出部が挿入される前記スリットが複数形成され、
前記回路基板には、前記スリットに挿入される複数の前記突出部が形成されている
ことを特徴とする請求項１に記載の照明ランプ。
【請求項３】
前記スリットは、
前記回路基板と前記第１の筐体部の径の中心との間に、予め設定された間隔が設けられる位置に形成されている
ことを特徴とする請求項１又は２に記載の照明ランプ。
【請求項４】
一端側が前記回路基板に取り付けられ、前記第１の筐体部の内部に設けられている副回路基板を備え、
前記副回路基板は、他端側に前記筐体の径方向に延出する副突出部が形成され、
前記第１の筐体部は、前記副突出部が挿入される副スリットが形成されている
ことを特徴とする請求項１〜３のいずれか１項に記載の照明ランプ。
【請求項５】
前記第１の筐体部を収容する第２の筐体部と、
前記第１の筐体部の前記スリット及び前記第２の筐体部に取り付けられ、前記第１の筐体部と前記第２の筐体部との相互の回転を規制する回転規制部とを備えた
ことを特徴とする請求項１〜４のいずれか１項に記載の照明ランプ。
【請求項６】
前記第２の筐体部は、前記光源側の端部側に形成され、前記回転規制部が挿入される溝部が形成され、
前記回転規制部は、前記第１の筐体部の前記スリット及び前記第２の筐体部の前記溝部に係合する
ことを特徴とする請求項５に記載の照明ランプ。
【請求項７】
前記回転規制部は、
前記筐体の径方向に延びる棒状の係合部材である
ことを特徴とする請求項５又は６に記載の照明ランプ。
【請求項８】
前記回転規制部は、
前記筐体の径方向に延び、断面十字状の構造を有する係合部材である
ことを特徴とする請求項５又は６に記載の照明ランプ。
【請求項９】
前記光源は、前記光源から発生する熱を放熱する放熱蓋を介して、前記筐体の端部に載置され、
前記係合部材は、前記放熱蓋に接触して固定されている
ことを特徴とする請求項７又は８に記載の照明ランプ。
【請求項１０】
前記係合部材は、
前記光源から発生する熱を、前記第１の筐体部に伝達する伝熱機能を備える
ことを特徴とする請求項７〜９のいずれか１項に記載の照明ランプ。
【請求項１１】
前記係合部材は、
前記光源から発生する熱が、前記回路基板に伝達することを抑制する遮熱機能を備える
ことを特徴とする請求項７〜９のいずれか１項に記載の照明ランプ。
【請求項１２】
前記第１の筐体部を収容する第２の筐体部を備え、
前記突出部は、前記第１の筐体部の外周面より外側に延出するように形成され、
前記第２の筐体部には、前記突出部のうちの前記第１の筐体部の外周面より外側に延出している部分が挿入される溝部が、前記スリットの対向位置に形成されている
ことを特徴とする請求項１〜４のいずれか１項に記載の照明ランプ。
【請求項１３】
前記光源は、ＬＥＤからなる
ことを特徴とする請求項１〜１２のいずれか１項に記載の照明ランプ。
【請求項１４】
前記光源は、レーザーダイオードからなる
ことを特徴とする請求項１〜１３のいずれか１項に記載の照明ランプ。
【請求項１５】
前記光源は、有機ＥＬからなる
ことを特徴とする請求項１〜１４のいずれか１項に記載の照明ランプ。
【請求項１６】
請求項１〜１５のいずれか１項に記載の照明ランプを有する
ことを特徴とする照明装置。
【発明の詳細な説明】
【技術分野】
【０００１】
本発明は、照明ランプ及びこの照明ランプを備える照明装置に関する。
【背景技術】
【０００２】
照明ランプは、光源と、光源等が取り付けられる筐体と、光源を駆動する電力を供給する回路基板とを有している。ここで、回路基板は、筐体内に設けられているが、この回路基板が固定されておらず筐体内で回転してしまうと回路基板に接続されている配線及びコンデンサ等の部品の損傷、筐体の内壁が傷つく等の不具合が生じる場合がある。そこで、回路基板を筐体内で固定する機構が各種提案されている（たとえば、特許文献１、２参照）。
【０００３】
特許文献１に記載の技術は、回路基板の端部のうち筐体と対向する端部を保持する保持機構として、筐体の内壁に保持部を設けたものである。特許文献２に記載の技術は、回路基板の端部のうち口金部と対向する端部を保持する保持機構として、口金部の内側に保持部を設けたものである。
【先行技術文献】
【特許文献】
【０００４】
【特許文献１】特開２０１２−９４４６７号公報（たとえば、図１参照）
【特許文献２】特許第４９１４５１１号公報（たとえば、段落［００２９］及び図２参照）
【発明の概要】
【発明が解決しようとする課題】
【０００５】
特許文献１、２に記載の技術は、回路基板を筐体内にて保持する機構としての保持部が、照明ランプ内の限られた空間内に形成されている。このように、特許文献１、２に記載の技術では、保持部が形成されている分、照明ランプ内にその他の部品を設置したりするなど有効活用できる空間が小さくなってしまう。また、保持部に回路基板を取り付けることができるように、保持部と回路基板との間には製造上の一定のクリアランスを設けるので、このクリアランスの分、さらに有効活用できる空間が小さくなってしまう。このように、特許文献１、２に記載の技術では、筐体内の点灯回路を固定するにあたり、保持部を形成している分だけ、照明ランプ内の限られた空間を有効に活用できていなかった。
【０００６】
本発明は、上記のような課題を背景としてなされたもので、照明ランプ内部における限られた空間を有効活用しながら、筐体と点灯回路とが相互に回転してしまうことを規制する照明ランプ及び照明装置を提供するものである。
【課題を解決するための手段】
【０００７】
本発明に係る照明ランプは、光源と、光源を駆動する回路基板と、回路基板が内部に設置された筒状の第１の筐体部を有し、光源が設けられている筐体と、を備え、回路基板には、筐体の径方向に延出する突出部が形成され、第１の筐体部には、突出部が挿入されるスリットが形成されているものである。
【発明の効果】
【０００８】
本発明によれば、上記構成を有しているので、照明ランプ内部における限られた空間を有効活用しながら、筐体と回路基板とが相互に回転してしまうことを規制することができる。
【図面の簡単な説明】
【０００９】
【図１】本発明の実施の形態１に係る照明ランプを示す断面図である。
【図２】図１に示す照明ランプの第１の筐体部に回路基板を取り付けた状態の説明図である。
【図３】図１に示す照明ランプの第１の筐体部と回路基板との組立について説明する図である。
【図４】図３に示す第１の筐体部及び回路基板の組立斜視図である。
【図５】本発明の実施の形態１に係る照明ランプの第２の筐体部と、回路基板を取り付けた第１の筐体部との組立を説明する図である。
【図６】本発明の実施の形態２に係る照明ランプの断面図である。
【図７】本発明の実施の形態３に係る照明ランプを示す断面図である。
【図８】図７に示す照明ランプの第１の筐体部と回路基板との組立を説明する図である。
【図９】本発明の実施の形態４に係る照明ランプを示す断面図である。
【図１０】図９に示す照明ランプの係合部材、回路基板、第１の筐体部及び第２の筐体部の組立について説明する図である。
【図１１】図９に示す照明ランプの組立斜視図である。
【図１２】本発明の実施の形態４に係る照明ランプの変形例である。
【図１３】本発明の実施の形態５に係る照明ランプを示す断面図である。
【図１４】図１３に示す照明ランプの組立斜視図である。
【図１５】本発明の実施の形態６に係る照明装置を示す概略図である。
【発明を実施するための形態】
【００１０】
以下、本発明に係る照明ランプ及び照明装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】
実施の形態１．
図１は、実施の形態１に係る照明ランプ１を示す断面図である。図２は、図１に示す照明ランプ１の第１の筐体部６に点灯回路基板１１を取り付けた状態の説明図である。図３は、図１に示す照明ランプ１の第１の筐体部６と点灯回路基板１１との組立について説明する図である。なお、図１（ａ）は図１（ｃ）のＸ−Ｘ断面に対応する断面図であり、図１（ｂ）は図１（ｃ）のＹ−Ｙ断面に対応する断面図であり、図１（ｃ）は図１（ａ）のＡ−Ａ断面に対応する断面図である。図２（ａ）及び図３（ａ）は図１（ａ）における断面と平行な面の断面図であり、図２（ｂ）及び図３（ｂ）は図１（ｂ）における断面と平行な面の断面図である。図３（ｃ）は図１（ｃ）における断面と平行な面の断面図である。図１〜図３に基づいて、照明ランプ１の構成について説明する。
本実施の形態１に係る照明ランプ１は、照明ランプ１内部における限られた空間を有効活用しながら、筐体５（第１の筐体部６）と点灯回路基板１１とが相互に回転してしまうことを規制する改良が加えられたものである。
【００１２】
［構成の概要］
照明ランプ１は、光を照射する光源３と、光源３を覆うように設けられているグローブ４と、照明ランプ１の外郭の一部を構成する筐体５と、筐体５に取り付けられる口金部９と、筐体５内に設けられる点灯回路ユニット１０とを備えているものである。
【００１３】
（光源３）
光源３は、例えば発光ダイオード（以下、ＬＥＤ）３ａを発光手段としており、光源３は、このＬＥＤ３ａと、ＬＥＤ３ａが載置されたＬＥＤ基板３ｂとを備えている。また、光源３は、点灯回路ユニット１０と電気的に接続され、点灯回路ユニット１０から駆動電力を光源３に供給するためのワイヤーハーネス又はコネクタ等の配線部材（図示せず）も備えている。そのほかに、光源３は、ＬＥＤ３ａを筐体５に取り付けるための螺子１４等の取付部材及び照明ランプ１の設計仕様に応じて適宜必要となる電子部品（図示せず）等も備えている。ＬＥＤ基板３ｂには、基板螺子孔３ｂａと基板通線孔３ｂｂとが形成されており、基板螺子孔３ｂａには、螺子１４が接続され、基板通線孔３ｂｂには、配線部材が通されている。なお、本実施の形態１では、光源３の発光手段としてＬＥＤ３ａを使用しているが、例えば、光源３の発光手段として、レーザーダイオード、有機ＥＬ等を使用してもよい。
【００１４】
（グローブ４）
グローブ４は、ドーム状（曲面形状）をなしており、光源３を覆うように筐体５に取り付けられているものである。このグローブ４は、ガラス又は樹脂等の素材で形成され、透光性を有しており、ＬＥＤ３ａから出射される光を透過するものである。このグローブ４が、樹脂である場合、樹脂素材として、ポリカーボネート、アクリル等が、製品仕様に応じて選択される。
【００１５】
なお、このグローブ４は、照明ランプ１の仕様に応じて、ＬＥＤ３ａから出射される光に、拡散、集光、反射等の作用を及ぼすように構成されてもよい。そして、これらの拡散、集光、反射等の機能は、グローブ４の基材であるガラス、樹脂等に、拡散層若しくは拡散面、レンズ、反射層、反射面等の処理を、基材に施すことによって、得るようにしてもよい。また、拡散、集光、反射等の機能は、グローブ４の基材の表面に、基材とは別の部材を設け、これらを組み合わせることによって、得るようにしてもよい。
【００１６】
（筐体５）
筐体５は、第１の筐体部６と第２の筐体部７とを備えており、一端部に光源３が載置され、他端部に口金部９が設けられているものである。
【００１７】
（第１の筐体部６）
第１の筐体部６は、点灯回路ユニット１０を内部に収容するハウジングであり、例えば、プラスチック等の樹脂素材を用いて成形されたものである。そして、この第１の筐体部６は、上記のとおり、筒状をなしており、内部に空間が形成されていると共に、両端部が開口している。そして、第１の筐体部６は、光源３側の端部の開口から点灯回路ユニット１０が挿入されることにより、第１の筐体部６の内部に、点灯回路ユニット１０が設置される。なお、第１の筐体部６は、光源３側から口金部９側に向かうに従って徐々に縮径した錘状部６ｆを有している。また、第１の筐体部６の光源３側の端面には、更に、螺子１４を受ける螺子受けであるボス６ｅと、このボス６ｅに形成された筐体螺子孔６ｄが設けられている。
【００１８】
第１の筐体部６には、突出部１２が挿入されるスリット６１が形成されている。すなわち、第１の筐体部６には、光源３側の端部側に、点灯回路基板１１を第１の筐体部６に収納したときに点灯回路基板１１の突出部１２と係合するスリット６１が形成されている。このスリット６１は、突出部１２と対応する数（２つ）が第１の筐体部６に形成されている。
【００１９】
（第２の筐体部７）
第２の筐体部７は、第１の筐体部６の外周を覆い、第１の筐体部６からの熱を放熱するヒートシンクであり、例えば、アルミニウム合金等の金属素材で成形される。なお、第２の筐体部７は、酸化アルミニウム（アルミナ）等の熱伝導性材料が混合されたセラミック素材等を用いて構成してもよい。
第２の筐体部７は、第１の筐体部６の光源３側を収容するように第１の筐体部６に嵌合しているものである。より詳細には、第２の筐体部７は、光源３側が閉塞され、口金部９側が開放され、内部に第１の筐体部６を収容するのに利用される空間が形成されているものである。そして、第２の筐体部７の内部に第１の筐体部６が嵌合される。なお、第２の筐体部７は、第１の筐体部６における錘状部６ｆを覆っていない。
【００２０】
（口金部９）
口金部９は、筒状をなしており、その側面が波形状となっている。そして、この口金部９は、第１の筐体部６の他端部に嵌合している。なお、口金部９は、第１の筐体部６における錘状部６ｆとは嵌合されておらず、第２の筐体部７とは接触していない。即ち、第２の筐体部７と口金部９とは、第１の筐体部６における錘状部６ｆにより、電気的に絶縁されている。
【００２１】
口金部９の他端部には、配線部材（図示せず）を通すための口金通線孔９ａが設けられている。そして、この口金通線孔９ａの先端には、口金通線孔９ａの先端を封止する中心電極９ｂが設けられており、口金通線孔９ａに通された配線部材によって、中心電極９ｂと、点灯回路ユニット１０とが電気的に接続されている。なお、中心電極９ｂは、配線部材と、口金部９の他端部とを半田等で接合することにより設けられたものである。そして、この口金部９は、照明器具（例えば、ソケット）（図示せず）に取り付けられることにより、照明器具を経由して、商用電力を照明ランプ１に入力する入力端となる。
【００２２】
（点灯回路ユニット１０）
点灯回路ユニット１０は、点灯回路基板１１を備え、光源３を駆動するものである。この点灯回路基板１１には、商用電力である交流電力を、ＬＥＤ３ａを駆動するための直流電力に変換するＡＣ−ＤＣコンバータ回路（図示せず）が実装されている。また、そのほかに、点灯回路ユニット１０は、口金部９と電気的に接続され、口金部９から商用電力を点灯回路ユニット１０に供給するためのワイヤーハーネス、コネクタ等の配線部材（図示せず）も備えている。そして、この点灯回路ユニット１０は、口金部９から入力された商用電力を駆動電力（直流電力）に変換し、光源３に供給する。なお、ＬＥＤ３ａを安定的に駆動するため、負荷変動の検出機能、ＡＣ−ＤＣコンバータ回路から出力される駆動電流を負荷変動に応じて制御する制御機能、商用電力の供給経路を介して流入又は流出するノイズを除去又は低減するフィルタ機能等を、点灯回路ユニット１０に搭載してもよい。これらの機能は、電解コンデンサ等の回路部品で実現される。なお、光源３の発光手段として、レーザーダイオード、有機ＥＬ等を用いる場合には、それに応じて適宜回路部品等の変更等をして点灯回路ユニット１０を構成するとよい。
【００２３】
点灯回路基板１１は、平板状部材であり、配線、コンデンサ等が搭載される回路基板である。点灯回路基板１１には、点灯回路基板１１が筐体５に取り付けられている状態において、光源３側の端部に、筐体５の径方向に延出する突出部１２が２つ形成されている。すなわち、点灯回路基板１１は、口金部９側から光源３側に向かって第１の筐体部６の内形に沿う形状を有し、そして、点灯回路基板１１の光源３側の端部には、第１の筐体部６の径方向（図中の矢印Ｘ方向）に延びる突出部１２が形成されている。なお、第１の筐体部６の内面６ｇと、点灯回路基板１１に実装された回路部品（図示せず）との間には、予め定められた間隙が設けられており、点灯回路基板１１は、回路部品に機械的応力が加わることなく、第１の筐体部６の内部に固定されている。このように、照明ランプ１は、点灯回路基板１１の突出部１２と第１の筐体部６のスリット６１とを係合させる構造を有している。
【００２４】
［寸法について］
次に、図３を参照して各部材の寸法について説明する。
図３（ａ）及び図３（ｂ）に示すように、点灯回路基板１１において、点灯回路基板１１の突出部１２を含む部分の幅（矢印Ｘ方向の長さ）をＷ１、点灯回路基板１１の突出部１２を除く部分の幅（矢印Ｘ方向の長さ）をＷ２、一方の突出部１２の幅（矢印Ｘ方向の長さ）をＷ３、他方の突出部１２の幅（矢印Ｘ方向の長さ）をＷ４、一方の突出部１２の高さ（矢印Ｚ方向の長さ）をＬ１、他方の突出部１２の高さ（矢印Ｚ方向の長さ）をＬ２、奥行き、即ち厚さ（矢印Ｙ方向の長さ）をＤ１とする。これらの寸法について、Ｗ１＝Ｗ２＋Ｗ３＋Ｗ４の関係が成り立つ。なお、Ｌ１とＬ２とは、同一寸法としてもよい。
【００２５】
更に、図３（ａ）、図３（ｂ）及び図３（ｃ）に示すように、第１の筐体部６において、第１の筐体部６の外径（矢印Ｘ方向の長さ）をＲ１、内径（矢印Ｘ方向の長さ）をＲ２、第１の筐体部６の肉厚（矢印Ｘ方向の長さ）をＤ２、Ｄ３、一方のスリット６１の高さ（矢印Ｚ方向の長さ）をＬ３、他方のスリット６１の高さ（矢印Ｚ方向の長さ）をＬ４、両方のスリット６１の幅（矢印Ｙ方向の長さ）をＴ１とする。これらの寸法について、Ｒ１＝Ｒ２＋Ｄ３＋Ｄ３の関係が成り立つ。なお、Ｌ３とＬ４とは、同一寸法としてもよい。
【００２６】
点灯回路基板１１と、第１の筐体部６及び第２の筐体部７との寸法関係について説明する。幅方向（矢印Ｘ方向の長さ）については、Ｒ２≦Ｗ１≦Ｒ１、Ｗ２≦Ｒ２、Ｄ２≦Ｗ３、Ｄ３≦Ｗ４の関係が成り立ち、高さ方向（矢印Ｚ方向の長さ）については、Ｌ１≦Ｌ３、Ｌ２≦Ｌ４の関係が成り立ち、奥行き方向（矢印Ｙ方向）については、Ｄ１≦Ｔ１、Ｄ１≦Ｔ２の関係が成り立つ。
【００２７】
［突出部１２及びスリット６１について］
図４は、図３に示す第１の筐体部６及び点灯回路基板１１の組立斜視図である。図５は、実施の形態１に係る照明ランプ１の第２の筐体部７と、点灯回路基板１１を取り付けた第１の筐体部６との組立を説明する図である。図４及び図５に基づいて、突出部１２及びスリット６１について説明する。
突出部１２は、筐体５の径方向に延出するように、点灯回路基板１１のうちの光源３側の端部に設けられているものである。すなわち、点灯回路基板１１は、その幅寸法が、突出部１２が形成されている位置の方が、突出部１２が形成されていない位置よりも大きくなっている。
図４に示すように、突出部１２は、角張った形状を有している場合を例に示しているが、それに限定されるものではなく、曲面を有していてもよい。また、突出部１２は、点灯回路基板１１の光源３側の端部に設けられている場合を例に示しているが、それに限定されるものではなく、光源３側の端部よりも口金部９側にずれた位置であってもよい。さらに、両方の突出部１２が同一形状を有しているものとして説明しているが、それに限定されるものではなく、異なる形状としてもよい。この場合には、スリット６１の形状についても、突出部１２の形状に対応して設定するとよい。
【００２８】
スリット６１は、第１の筐体部６の内側と外側とを連通するように形成された穴ではなく、光源３側が開放されるように形成されているものである。図４に示すように、点灯回路基板１１を第１の筐体部６の光源３側から口金部９側に下ろしていくことで、突出部１２がスリット６１に当接するまで、点灯回路基板１１を第１の筐体部６に収納することができるようになっている。また、スリット６１は、第１の筐体部６に２つ形成されている。この２つのスリット６１の位置関係は、筐体５の軸Ｏに対称であって、第１の筐体部６の径中心を通る直線上の対向位置である。 
【００２９】
このように、照明ランプ１は、点灯回路基板１１の突出部１２と第１の筐体部６のスリット６１とを係合させる構造を有しているので、点灯回路基板１１と第１の筐体部６とが相互に回転してしまうことを抑制する、すなわち回転どめをすることができるようになっている。また、スリット６１は、穴ではなく、光源３側が開放されるように形成されているため、点灯回路基板１１を第１の筐体部６に挿入することでスリット６１に突出部１２が挿入され、スリット６１と突出部１２とを容易に係合させることができる。
【００３０】
［組立について］
次に、照明ランプ１の組立工程について説明する。図４に示すように、先ず、点灯回路基板１１を、第１の筐体部６の一端側に形成されている開口部から挿入する（図４（ａ）参照）。なお、突出部１２の口金部９側の端面と、スリット６１の口金部９側の端面とが当接するまで、点灯回路基板１１を第１の筐体部６に挿入し、第１の筐体部６と点灯回路基板１１とを組み立てる（図４（ｂ）参照）。なお、点灯回路基板１１を動かして第１の筐体部６に挿入する場合を例に説明したが、逆に、第１の筐体部６を点灯回路基板１１側に動かして組み立ててもよいし、両方を動かして組み立ててもよい。
【００３１】
その後に、図５に示すように、光源３が載置された第２の筐体部７の他端側を、点灯回路基板１１が収容されている第１の筐体部６の一端側に挿入し、第１の筐体部６と第２の筐体部７とを組み立てる。なお、第２の筐体部７を動かして第１の筐体部６に挿入する場合を例に説明したが、逆に、第１の筐体部６を第２の筐体部７側に動かして組み立ててもよいし、両方を動かして組み立ててもよい。
【００３２】
［実施の形態１に係る照明ランプ１の有する効果］
本実施の形態１に係る照明ランプ１は、第１の筐体部６にスリット６１が形成され、点灯回路基板１１にスリット６１と係合する突出部１２が形成されているので、第１の筐体部６と点灯回路基板１１とが相互に回転してしまうことを規制することができ、点灯回路基板１１に接続されている配線及びコンデンサ等の部品の損傷、第１の筐体部６の内壁が傷つく等の不具合を抑制することができる。
【００３３】
本実施の形態１に係る照明ランプ１は、従来の照明ランプのような保持部を設けずに、スリット６１を形成することで点灯回路基板１１を保持するようにしている。すなわち、照明ランプ１では、保持部を別途形成するスペースを設ける必要がなくなっている。このため、第１の筐体部６内の限られた空間を有効活用しながら、点灯回路基板１１が回転してしまうことを規制することができるようになっている。
【００３４】
実施の形態２．
次に、実施の形態２に係る照明ランプ１ａについて説明する。図６は、実施の形態２に係る照明ランプ１ａの断面図である。本実施の形態２は、点灯回路基板１１ａが、筐体５ａの軸Ｏ上からずれた位置に設けられている点で、実施の形態１と相違する。本実施の形態２では、実施の形態１と共通する部分は同一の符号を付して説明を省略し、実施の形態１との相違点を中心に説明する。
【００３５】
第１の筐体部６ａのスリット６１ａ同士は、対向するように形成されているが、筐体５ａの軸Ｏに対称ではない２箇所に形成されている。そして、点灯回路基板１１は、第１の筐体部６ａの径中心から予め設定された間隔をあけて第１の筐体部６ａに収容されるということである。このスリット６１ａに突出部１２ａを挿入し、スリット６１ａと突出部１２ａとが係合している状態においては、点灯回路基板１１ａと第１の筐体部６ａの径の中心（軸Ｏ）との間に、予め設定された間隔が設けられることとなる。すなわち、スリット６１ａは、点灯回路基板１１ａと第１の筐体部６ａの径の中心（軸Ｏ）との間に、予め設定された間隔が設けられる位置に形成されているということである。この実施の形態２では、実施の形態１と比較すると点灯回路基板１１の短手方向の長さを短くすることができ、点灯回路基板１１ａに使用される材料を削減することができるという効果を得ることができる。
【００３６】
実施の形態３．
次に、実施の形態３に係る照明ランプ１ｂについて説明する。図７は、実施の形態３に係る照明ランプ１ｂを示す断面図である。図８は、図７に示す照明ランプ１ｂの第１の筐体部６ｂと点灯回路基板１１ｂとの組立を説明する図である。なお、図７（ａ）は図７（ｃ）のＸ−Ｘ断面に対応する断面図であり、図７（ｂ）は図７（ｃ）のＹ−Ｙ断面に対応する断面図であり、図７（ｃ）は図７（ａ）のＡ−Ａ断面に対応する断面図である。図８（ａ）は図７（ａ）における断面と平行な面の断面図であり、図８（ｂ）は図７（ｂ）における断面と平行な面の断面図である。図８（ｃ）は図７（ｃ）における断面と平行な面の断面図である。本実施の形態３は、点灯回路基板１１ｂに副回路基板１５が接続されている点で、実施の形態１と相違する。本実施の形態３では、実施の形態１と共通する部分は同一の符号を付して説明を省略し、実施の形態１との相違点を中心に説明する。
【００３７】
図７及び図８に示すように、点灯回路ユニット１０ｂは、点灯回路基板１１ｂ及び副回路基板１５を備えている。副回路基板１５は、点灯回路基板１１ｂに対し垂直の方向（矢印Ｙ方向）に、基板接続部材１７によって接続されている。この基板接続部材１７は、点灯回路基板１１ｂと副回路基板１５とを電気的に接続するコネクタであり、これにより、点灯回路基板１１ｂは、副回路基板１５と電気的に接続されている。光源３におけるＬＥＤ３ａは、点灯回路基板１１ｂ及び副回路基板１５に実装される回路部品（図示せず）によって、駆動、駆動制御又はその両方が行われる。
【００３８】
そして、副回路基板１５は、その端部から、筐体５ｂの径方向に延出する副突出部１６を備えている。また、第１の筐体部６ｂにおいて、光源３側の端面には、スリット６１ｂのほかに、例えばこの端面から第１の筐体部６ｂの長手方向（矢印Ｚ方向）にかけて、矩形状の副スリット６２が形成されている。そして、副回路基板１５の副突出部１６は、この副スリット６２に挿入され、副スリット６２と係合している。
第１の筐体部６ｂに、点灯回路ユニット１０ｂを収容すると、第１の筐体部６ｂの内部に、点灯回路基板１１ｂ及び副回路基板１５が収容されることとなる。なお、副スリット６２は、１個に限らず、複数形成されていてもよい。
【００３９】
図８（ｃ）に示すように、点灯回路基板１１ｂ及び副回路基板１５が、第１の筐体部６ｂの内部に設置されると、点灯回路基板１１ｂにおける突出部１２ｂがスリット６１ｂに係合し、副回路基板１５における副突出部１６が副スリット６２に係合する。このように、本実施の形態３では、副回路基板１５における副突出部１６が、第１の筐体部６ｂにおける副スリット６２に係合するため、実施の形態１で得られる効果に加え、点灯回路基板１１ｂに副回路基板１５が接続されていても、副回路基板１５が第１の筐体部６ｂの内部で揺動することが抑制される。
【００４０】
実施の形態４．
図９は、実施の形態４に係る照明ランプ１ｃを示す断面図である。図１０は、図９に示す照明ランプ１ｃの係合部材１３、点灯回路基板１１ｃ、第１の筐体部６ｃ及び第２の筐体部７ｃの組立について説明する図である。図１１は、図９に示す照明ランプ１ｃの組立斜視図である。なお、図９（ａ）は図１（ａ）における断面と同様の断面図であり、図９（ｂ）は図１（ｂ）における断面と同様の断面図である。図１０（ａ）は図９（ａ）における断面と平行な面の断面図であり、図１０（ｂ）は図９（ｂ）における断面と平行な面の断面図である。
本実施の形態４は、第２の筐体部７ｃの光源３側を開口し、その開口を閉塞するように放熱蓋８を設けるとともに、係合部材１３を設けた点で、実施の形態１と相違する。本実施の形態４では、実施の形態１と共通する部分は同一の符号を付して説明を省略し、実施の形態１との相違点を中心に説明する。
【００４１】
（第２の筐体部７）
第２の筐体部７ｃは、第１の筐体部６の外周を覆い、第１の筐体部６からの熱を放熱するものである点では、実施の形態１の第２の筐体部７と同様である。本実施の形態４に係る照明ランプ１ｃの第２の筐体部７ｃは、筒状をなしている点で実施の形態１とは異なる。すなわち、第２の筐体部７ｃは、口金部９側だけでなく、光源３側も開口している。ここで、第１の筐体部６ｃは、第２の筐体部７ｃにおけるいずれの端部から挿入されてもよい。
【００４２】
（溝部７１）
第２の筐体部７ｃの光源３側の端面には、例えばこの端面から第２の筐体部７の長手方向（矢印Ｚ方向）にかけて、溝部７１が形成されている。この溝部７１は、第２の筐体部７ｃの端面に、筐体５ｃの軸Ｏに対称に、２個形成されている。このように、溝部７１は、複数形成されていてもよい。なお、第１の筐体部６ｃと第２の筐体部７ｃとは、スリット６１と溝部７１とが重なるように位置決めされている。
【００４３】
（放熱蓋８）
放熱蓋８は、第２の筐体部７ｃにおける溝部７１が形成されている側、即ち光源３側の端部に取り付けられ、この第２の筐体部７ｃの端部を塞ぐものである。また、この放熱蓋８には、光源３におけるＬＥＤ基板３ｂが載置され、これにより、放熱蓋８は、光源３から発生する熱を放熱する。放熱蓋８には、ＬＥＤ基板３ｂにおける基板螺子孔３ｂａ及び基板通線孔３ｂｂに対応する位置に、夫々蓋螺子孔８ａ及び蓋通線孔８ｂが設けられている。そして、螺子１４は、基板螺子孔３ｂａ及び蓋螺子孔８ａに挿通され、筐体螺子孔６ｄに螺合される。また、配線部材（図示せず）は、基板通線孔３ｂｂ及び蓋通線孔８ｂに通されている。なお、螺子１４は、蓋螺子孔８ａのみに挿通されて、筐体螺子孔６ｄに螺合されてもよい。この場合、ＬＥＤ基板３ｂは、接着部材又は接着テープ等を用いて、放熱蓋８に接着されるように構成することができる。
【００４４】
また、放熱蓋８は、光源３からの発熱を考慮して、熱容量の確保及び効率的な放熱を得るため、金属材料等の熱伝導性材料で構成される。なお、放熱蓋８においては、製品の設計仕様又は目的により、金属材料以外の材料を選択することもできる。例えば、第１の筐体部６ｃの内部に設置される点灯回路ユニット１０ｃは、光源３から発生する熱の影響を受けるが、放熱蓋８が、樹脂材料等で構成される場合、この影響を軽減する遮熱又は断熱の効果を奏する。更に、放熱又は遮熱がそこまで要求されない照明ランプ１ｃでは、放熱蓋８を省いてもよい。これにより、材料コストの削減及び組立工数の削減を図ることができる。
【００４５】
（係合部材１３）
係合部材１３は、棒状をなしており、第１の筐体部６におけるスリット６１ｃ、及び第２の筐体部７ｃにおける溝部７１に係合する。このように、係合部材１３がスリット６１ｃ及び溝部７１に係合するとき、係合部材１３の長手方向は、筐体５ｃの径方向と平行である。また、スリット６１ｃ及び溝部７１は、いずれも、筐体５の軸Ｏに対称に、夫々第１の筐体部６ｃ及び第２の筐体部７ｃに、２個設けられている。このため、係合部材１３が、これらのスリット６１ｃ及び溝部７１に係合すると、係合部材１３は、筐体５ｃの軸Ｏと交差した状態となる。更に、スリット６１ｃ及び溝部７１は、夫々第１の筐体部６ｃ及び第２の筐体部７ｃにおける光源３側の端面に形成されている。このため、係合部材１３が、スリット６１ｃ及び溝部７１に係合することにより、筐体５ｃにおける光源３側で、第１の筐体部６ｃと第２の筐体部７ｃとの相互の回転が規制される。このように、係合部材１３は、第１の筐体部６ｃと第２の筐体部７ｃとの相互の回転を規制する回転規制部である。
【００４６】
なお、係合部材１３の素材及び形状等は、所定の強度を有する上で、適宜決定される。また、係合部材１３の製造方法は、選択される素材及び形状等に応じて、射出成形法、押出成形法又はプレス成形法等が、適宜決定される。なお、係合部材１３には、光源３から発生する熱を、第１の筐体部６に伝達する伝熱機能を付加してもよいし、光源３から発生する熱が、点灯回路ユニット１０ｃに伝達することを抑制する遮熱機能を付加してもよい。たとえば、伝熱機能を付加したい場合には、係合部材１３を金属材料等の熱伝導性材料で構成するとよく、遮熱機能を付加したい場合には、係合部材１３を樹脂材料等で構成するとよい。
【００４７】
［寸法について］
図１０に示すように、係合部材１３において、係合部材１３の幅（矢印Ｘ方向の長さ）をＷ５、高さ（矢印Ｚ方向の長さ）をＬ５、奥行き（矢印Ｙ方向の長さ）をＤ４とする。第２の筐体部７ｃにおいて、第２の筐体部７ｃの内径（矢印Ｘ方向の長さ）に２個の溝部７１の長さ（矢印Ｘ方向の長さ）を加算した幅をＲ３、第２の筐体部７ｃの内径（矢印Ｘ方向の長さ）をＲ４、両方の溝部７１の高さ（矢印Ｚ方向の長さ）をＬ６、両方の溝部７１の幅（矢印Ｙ方向の長さ）をＴ２とする。
【００４８】
係合部材１３と、第１の筐体部６ｃ及び第２の筐体部７ｃとの寸法関係について説明する。幅方向（矢印Ｘ方向の長さ）については、Ｒ１≦Ｗ５≦Ｒ３の関係が成り立ち、高さ方向（矢印Ｚ方向の長さ）については、Ｌ５≦Ｌ６≦Ｌ３、Ｌ５≦Ｌ６≦Ｌ４の関係が成り立ち、奥行き方向（矢印Ｙ方向）については、Ｄ４≦Ｔ１、Ｄ４≦Ｔ２の関係が成り立つ。即ち、係合部材１３は、第１の筐体部６ｃにおけるスリット６１ｃ及び第２の筐体部７ｃにおける溝部７１に嵌合できるように設計され、また、係合部材１３は、第２の筐体部７ｃにおける放熱蓋８が設置される領域７ｄに及ばないように設計されている。
【００４９】
また、点灯回路基板１１の突出部１２ｃは、第１の筐体部６ｃにおけるスリット６１ｃに係合し、第２の筐体部７ｃにおける溝部７１の領域には及ばないように設計されている。
【００５０】
次に、係合部材１３及び点灯回路基板１１ｃと、第１の筐体部６ｃとの高さ方向（矢印Ｚ方向）の寸法関係について説明する。これらについては、Ｌ５＋Ｌ１≦Ｌ３、Ｌ５＋Ｌ２≦Ｌ４の関係が成り立つ。即ち、係合部材１３及び点灯回路基板１１ｃは、いずれも、高さ方向（矢印Ｚ方向）において、第１の筐体部６ｃにおけるスリット６１ｃに収まる。更に、第１の筐体部６ｃと第２の筐体部７ｃとの寸法関係について説明する。これらについては、Ｒ１≦Ｒ４の関係が成り立つ。即ち、第１の筐体部６ｃの外径Ｒ１は、第２の筐体部７ｃの内径Ｒ４より小さく設計されており、これにより、第１の筐体部６ｃは、第２の筐体部７ｃの内部への挿入が可能である。
【００５１】
［組立について］
次に、照明ランプ１ｃの組立工程について説明する。先ず、点灯回路基板１１ｃが設置された第１の筐体部６ｃが、第２の筐体部７ｃにおける他端部から挿入され、嵌合する。そして、係合部材１３が、第１の筐体部６ｃにおけるスリット６１ｃ及び第２の筐体部７ｃにおける溝部７１に係合する。その後、第２の筐体部７ｃに放熱蓋８が載置され、放熱蓋８に光源３におけるＬＥＤ基板３ｂが載置される。これにより、照明ランプ１ｃが組み立てられる。なお、第１の筐体部６ｃは、第２の筐体部７ｃにおける一端部から挿入されて、嵌合されてもよい。
【００５２】
以上、実施の形態４について説明した。ここで、上記の実施の形態４の説明においては、係合部材１３が１本の場合を例に説明したが、２本以上であってもよい。この場合には、係合部材１３の数に対応する数のスリット６１ｃ及び溝部７１を設ける。
【００５３】
（第１変形例）
図１２は、本実施の形態４に係る照明ランプ１ｃの変形例である。図１２（ａ）〜図１２（ｅ）に示すように５つの変形例について説明する。
図１２（ａ）は、第１変形例における係合部材１３ｄを示す斜視図である。この第１変形例に係る照明ランプ１ｃは、係合部材１３ｄの形状が、実施の形態４の係合部材１３と相違する。図１２（ａ）に示すように、係合部材１３ｄは、棒状ではなく、断面十字状の構造を有する。そして、これに伴い、第１の筐体部６ｃの端面には、スリット６１ｃが、筐体５の軸Ｏに対称に、４個形成され、第２の筐体部７の端面には、溝部７１が、筐体５の軸Ｏに対称に、４個形成される。第１変形例では、係合部材１３ｄが、４個のスリット６１及び溝部７１に係合することにより、第１の筐体部６と第２の筐体部７との相互の回転が規制されている。このため、更に、回転を規制する効果を高めることができる。なお、係合部材１３ｄにおける奥行き方向（矢印Ｙ方向）の長さは、幅（矢印Ｘ方向）と同様に、Ｗ５である。
【００５４】
（第２変形例）
次に、実施の形態４の第２変形例に係る照明ランプ１ｃについて説明する。図１２（ｂ）は、第２変形例における係合部材１３ｅを示す斜視図である。この第２変形例に係る照明ランプ１ｃも、係合部材１３ｅの形状が、実施の形態１と相違する。図１２（ｂ）に示すように、係合部材１３ｅは、円形状をなしており、その周縁部に、係合部材１３ｅの軸Ｏに対称に２個の突起１３ｉが形成されている。この突起１３ｉが、第１の筐体部６ｃにおけるスリット６１ｃ及び第２の筐体部７ｃにおける溝部７１に係合することにより、第１の筐体部６ｃと第２の筐体部７ｃとの相互の回転が規制されている。
第２変形例では、係合部材１３ｅは、円形状をなしているため、その体積が大きい。このため、係合部材１３ｅの強度を向上させることができる。また、第１の筐体部６ｃの内部に設置される点灯回路ユニット１０ｃは、光源３から発生する熱の影響を受けるが、係合部材１３ｅが、樹脂材料等で構成される場合、この影響を軽減する遮熱又は断熱の効果を奏する。更に、係合部材１３ｅが、金属材料等の熱伝導性材料で構成される場合、熱伝導性材料の容積の増加による熱容量の増加が可能であり、また、主に光源３から発生する熱が第２の筐体部７ｃに伝達する伝熱性を増大させることができる。なお、係合部材１３ｅにおける円形状の部分の径は、点灯回路基板１１ｃの突出部１２ｃを除く部分の幅と同様に、Ｗ２である。
【００５５】
（第３変形例）
次に、実施の形態４の第３変形例に係る照明ランプ１ｃについて説明する。図１２（ｃ）は、第３変形例における係合部材１３ｆを示す斜視図である。この第３変形例に係る照明ランプ１ｃも、係合部材１３ｆの形状が、実施の形態１と相違する。図１２（ｃ）に示すように、係合部材１３ｆは、円形状をなしており、その周縁部に、係合部材１３ｆの軸Ｏに対称に４個の突起１３ｉが形成されている。そして、これに伴い、第１の筐体部６ｃの端面には、スリット６１ｃが、筐体５ｃの軸Ｏに対称に、４個形成され、第２の筐体部７ｃの端面には、溝部７１が、筐体５ｃの軸Ｏに対称に、４個形成されている。
【００５６】
第３変形例では、４個の突起１３ｉが、第１の筐体部６ｃにおけるスリット６１ｃ及び第２の筐体部７ｃにおける溝部７１に係合することにより、第１の筐体部６ｃと第２の筐体部７ｃとの相互の回転が規制されている。このため、更に、回転を規制する効果を高めることができる。その上、係合部材１３ｆは、円形状をなしているため、その体積が大きい。このため、係合部材１３ｆの強度を向上させることができる。また、第１の筐体部６ｃの内部に設置される点灯回路ユニット１０ｃは、光源３から発生する熱の影響を受けるが、係合部材１３ｆが、樹脂材料等で構成される場合、この影響を軽減する遮熱又は断熱の効果を奏する。更に、係合部材１３ｆが、金属材料等の熱伝導性材料で構成される場合、熱伝導性材料の容積の増加による熱容量の増加が可能であり、また、主に光源３から発生する熱が第２の筐体部７ｃに伝達する伝熱性を増大させることができる。
【００５７】
（第４変形例）
次に、実施の形態４の第４変形例に係る照明ランプ１ｃについて説明する。図１２（ｄ）は、第４変形例における係合部材１３ｇを示す斜視図である。この第４変形例に係る照明ランプ１ｃは、係合部材１３ｇの形状が、第１変形例と同様に断面十字状をなしている。そして、図１２（ｄ）に示すように、係合部材１３ｇは、放熱蓋８に接触して、互いに固定されている。この係合部材１３ｇの材質は、照明ランプ１の設計仕様に応じて、適宜選択することが可能であるが、係合部材１３ｇと放熱蓋８とが、同一の材質で構成されている場合は、これらの係合部材１３ｇと放熱蓋８とが、一体成形されていることが好ましい。また、係合部材１３ｇの少なくとも一部分でも、放熱蓋８の材質と異なる材質で構成されている場合は、接着部材による接着、螺子等を用いた組立、インサート成形等によって、係合部材１３ｇと放熱蓋８とが固定される。なお、係合部材１３ｇの形状は、断面十字状ではなく、第１の筐体部６ｃと第２の筐体部７ｃとの相互の回転を規制することができる形状であれば、適宜変更することができる。なお、放熱蓋８の径は、係合部材１３ｇの幅Ｗ５よりも大きいＷ６とし、厚さを、Ｌ７とする。
【００５８】
（第５変形例）
次に、実施の形態４の第５変形例に係る照明ランプ１ｃについて説明する。図１２（ｅ）は、第５変形例における係合部材１３ｈを示す斜視図である。この第５変形例に係る照明ランプ１ｃは、係合部材１３ｈの形状が、第３変形例と同様に円形状をなしており、更に、その周縁部に、係合部材１３ｈの軸Ｏに対称に４個の突起１３ｉが形成されている。そして、図１２（ｅ）に示すように、係合部材１３ｈは、第４変形例と同様に、放熱蓋８に接触して、互いに固定されている。この係合部材１３ｈの材質は、照明ランプ１ｃの設計仕様に応じて、適宜選択することが可能であるが、係合部材１３ｈと放熱蓋８とが、同一の材質で構成されている場合は、これらの係合部材１３ｈと放熱蓋８とが、一体成形されていることが好ましい。また、係合部材１３ｈの少なくとも一部分でも、放熱蓋８の材質と異なる材質で構成されている場合は、接着部材による接着、螺子等を用いた組立、インサート成形等によって、係合部材１３ｈと放熱蓋８とが固定される。なお、係合部材１３ｈの形状は、円形状ではなく、第１の筐体部６ｃと第２の筐体部７ｃとの相互の回転を規制することができる形状であれば、適宜変更することができる。
【００５９】
実施の形態５．
次に、実施の形態５に係る照明ランプ１ｄについて説明する。図１３は、実施の形態５に係る照明ランプ１ｄを示す断面図である。図１４は、図１３に示す照明ランプ１ｄの組立斜視図である。本実施の形態５は、第１の筐体部６Ｄと第２の筐体部７Ｄとの相互の回転を規制する回転規制部が、実施の形態４で説明した係合部材１３ではなく、点灯回路基板１１ｄにおける突出部１２ｄである点で、実施の形態４と相違する。また、実施の形態５では、実施の形態４における溝部７１のＺ方向の寸法が大きい溝部７１ｄが形成されている。本実施の形態５では、実施の形態１〜４と共通する部分は同一の符号を付して説明を省略し、実施の形態１との相違点を中心に説明する。
【００６０】
本実施の形態５では、図１３及び図１４に示すように、実施の形態４における係合部材１３が設けられておらず、点灯回路基板１１ｄにおける突出部１２ｄが、第１の筐体部６Ｄにおけるスリット６１ｄ及び第２の筐体部７Ｄにおける溝部７１ｄに係合している。突出部１２ｄの幅（矢印Ｘ方向）は、第１の筐体部６Ｄの肉厚よりも長く、即ち、実施の形態１における突出部１２ｄの幅よりも長くなっている。突出部１２ｄは、第１の筐体部６Ｄの外周面よりも外側に延出するように形成されているということである。これにより、突出部１２ｄは、スリット６１ｄには収まらず、その先端がスリット６１ｄから露出する。そして、この露出した先端が、溝部７１ｄに係合する。
【００６１】
第２の筐体部７Ｄの光源３側に、溝部７１Ｄが形成されている。この溝部７１Ｄは、点灯回路基板１１ｄの突出部１２ｄが配置されている位置まで深く形成されている。第２の筐体部７Ｄには、突出部１２ｄのうちの第１の筐体部６Ｄの外周面より外側に延出している部分が挿入される溝部７１ｄが、スリット６１ｄの対向位置に形成されている。図１３及び図１４に示すように、突出部１２ｄのうちのスリット６１ｄから露出している部分が溝部７１ｄに挿入されるように、溝部７１は、光源３側から口金部９側に向かう方向に伸びるように形成されているということである。
【００６２】
照明ランプ１ｄの組立工程としては、図１４に示すように、回路部品（図示せず）が実装された点灯回路基板１１ｄは、第１の筐体部６Ｄにおける光源３側の開口から挿入される。その際、点灯回路基板１１ｄにおける突出部１２ｄは、第１の筐体部６Ｄにおけるスリット６１ｄに係合する。突出部１２ｄの幅は、前述の如く、第１の筐体部６Ｄの肉厚よりも長いため、図１４（ｂ）に示すように、突出部１２ｃがスリット６１ｃに収まらず、突出部１２ｄの先端が、第１の筐体部６Ｄの外部に露出する。
点灯回路基板１１ｄが設置された第１の筐体部６Ｄは、第２の筐体部７Ｄにおける光源３側の開口から挿入される。その際、点灯回路基板１１ｄにおける突出部１２ｄにおいて、第１の筐体部６Ｄの外部から露出した突出部１２ｄの先端が、第２の筐体部７Ｄにおける溝部７１ｄに係合する。
【００６３】
このように、点灯回路基板１１ｄにおける突出部１２ｄが、第１の筐体部６Ｄにおけるスリット６１ｄ及び第２の筐体部７Ｄにおける溝部７１ｄに係合するため、実施の形態１と同様に、筐体５ｃにおける光源３側で、第１の筐体部６Ｄと第２の筐体部７Ｄとの相互の回転が規制されている。このように、点灯回路基板１１ｄにおける突出部１２ｄが、第１の筐体部６Ｄに保持されるための機能に加えて、第１の筐体部６Ｄと第２の筐体部７Ｄとの相互の回転を規制する機能を有しており、実施の形態４で説明した係合部材１３を省くことができる。このため、部品点数を削減すると共に、コストを削減することができる。
【００６４】
なお、本実施の形態５のように、点灯回路基板１１ｄによって、第１の筐体部６Ｄと第２の筐体部７Ｄとの相互の回転を規制する場合は、ガラスエポキシ又はセラミック等の比較的硬質の材料を用いることが好ましい。更に、点灯回路基板１１ｄは、その厚寸をできるだけ厚くして、第１の筐体部６Ｄと第２の筐体部７Ｄとの相互の回転力に対抗することができる強度を備えることが好ましい。また、照明ランプ１ｄの組立工程は、上記に限らず、先ず、第１の筐体部６Ｄが、第２の筐体部７Ｄにおける口金部９側の開口から挿入され、その後、回路部品が実装された点灯回路基板１１ｄが、第１の筐体部６Ｄにおける光源３側の開口から挿入されるようにしてもよい。
【００６５】
実施の形態６．
次に、実施の形態６に係る照明装置２について説明する。図１５は、実施の形態６に係る照明装置２を示す概略図である。この照明装置２は、実施の形態１〜４のいずれか一つの照明ランプ１を備えている。図１５に示すように、照明装置２は、例えば天井に取り付けられるものであり、天井の器具取付部２４には、照明ランプ１を格納できる大きさの孔が設けられており、これが器具本体２１となっている。
【００６６】
この器具本体２１は、奥部に、照明ランプ１が取り付けられるソケット２２が設けられており、このソケット２２に、照明ランプ１の口金部９が取り付けられることによって、照明ランプ１が器具本体２１に装着される。なお、この器具本体２１の内壁には、照明ランプ１から出射された光を反射するためのドーム状のリフレクタ２３が設けられている。このように、照明ランプ１は、天井に設置して天井用の照明装置２として使用することが可能であるが、そのほかの照明装置２として使用することも可能である。例えばデスクに設置してデスクを照らす照明装置２として使用することもできる。
【符号の説明】
【００６７】
１  照明ランプ、１ａ  照明ランプ、１ｂ  照明ランプ、１ｃ  照明ランプ、１ｄ  照明ランプ、２  照明装置、３  光源、３ａ  ＬＥＤ、３ｂ  ＬＥＤ基板、３ｂａ  基板螺子孔、３ｂｂ  基板通線孔、４  グローブ、５  筐体、５ａ  筐体、５ｂ  筐体、５ｃ  筐体、６  第１の筐体部、６ａ  第１の筐体部、６ｂ  第１の筐体部、６ｃ  第１の筐体部、６ｄ  筐体螺子孔、６Ｄ  第１の筐体部、６ｅ  ボス、６ｆ  錘状部、６ｇ  内面、７  第２の筐体部、７ｃ  第２の筐体部、７Ｄ  第２の筐体部、７ｄ  領域、８  放熱蓋、８ａ  蓋螺子孔、８ｂ  蓋通線孔、９  口金部、９ａ  口金通線孔、９ｂ  中心電極、１０  点灯回路ユニット、１０ｂ  点灯回路ユニット、１０ｃ  点灯回路ユニット、１１  点灯回路基板（回路基板）、１１ａ  点灯回路基板、１１ｂ  点灯回路基板、１１ｃ  点灯回路基板、１１ｄ  点灯回路基板、１２  突出部、１２ａ  突出部、１２ｂ  突出部、１２ｃ  突出部、１２ｄ  突出部、１３  係合部材、１３ｄ  係合部材、１３ｅ  係合部材、１３ｆ  係合部材、１３ｇ  係合部材、１３ｈ  係合部材、１３ｉ  突起、１４  螺子、１５  副回路基板、１６  副突出部、１７  基板接続部材、２１  器具本体、２２  ソケット、２３  リフレクタ、２４  器具取付部、６１  スリット、６１ａ  スリット、６１ｂ  スリット、６１ｃ  スリット、６１ｄ  スリット、６２  副スリット、７１  溝部、７１ｄ  溝部、７１Ｄ  溝部。
【図１】
2015041464.tif 000003
【図２】
2015041464.tif 000004
【図３】
2015041464.tif 000005
【図４】
2015041464.tif 000006
【図５】
2015041464.tif 000007
【図６】
2015041464.tif 000008
【図７】
2015041464.tif 000009
【図８】
2015041464.tif 000010
【図９】
2015041464.tif 000011
【図１０】
2015041464.tif 000012
【図１１】
2015041464.tif 000013
【図１２】
2015041464.tif 000014
【図１３】
2015041464.tif 000015
【図１４】
2015041464.tif 000016
【図１５】
2015041464.tif 000017